Podtech/llm-jp-corpus-v4-ja_patent huggingface dataset:
(57)【要約】【課題】  地球環境を考え一人でも多くの人にエコバックを持ち歩いてもらうための、袋と帽子を一体化させた、エコ帽子を提供する。【解決手段】  綿生地を使い袋状にすし、袋の裏地底に帽子の頭部を付け、袋の口に帽子のつばを付ける。頭部とつばにオープンファスナーを付け、帽子形にする。手提げ紐を取り付けるためのループを、手提げ紐がオープンファスナーにかぶさるように両サイドに付ける。帽子形のときに裏地となる袋が、はみ出さないように、袋のサイドと底にフォックを付け収納できるようにしたエコ帽子。【選択図】図５
2010090518.tif 000002
【特許請求の範囲】
【請求項１】
薄くて通気性があり蒸れを防ぐ丈夫な素材を使い袋状にし、袋の裏地底に帽子の頭部を、袋の口に帽子のつばを付け、頭部とつばにオープンファスナーを付け帽子形にし、手提げ紐を取り付けるためのループを、手提げ紐がオープンファスナーにかぶさるように、つばの両サイドに付け、帽子形の時に裏地となる袋が、はみ出さないように、袋の両サイドと底にフォックを付け収納できるようにすることを特徴とするエコ帽子。
【発明の詳細な説明】
【技術分野】
【０００１】  本発明は、地球環境を考え一人でも多くの人にエコバックを持ち歩いてもらうための袋と帽子を一体化させた、エコ帽子に関するものである。
【背景技術】
【０００２】従来エコバックは単独の物であり小さく折りたたんで持ち歩くもので、帽子は日よけとして、かぶるだけのものであった。
【発明の開示】
【発明が解決しようとする課題】
【０００３】そのため次のような問題点があった。
（イ）予定外にバックが必要になったときに持っていなかった。
（ロ）バックを持ち歩くのを忘れてしまう。
本発明は以上の問題点を解決しようとするものである。
【課題を解決するための手段】
【０００４】  綿生地を使い袋状にする。袋の裏地底に帽子の頭部を付け、袋の口に帽子のつばを付ける。頭部とつばにオープンファスナーを付け、帽子形にする。手提げ紐を取り付けるためのループを、手提げ紐がオープンファスナーにかぶさるようにつばの両サイドに付ける帽子形の時に裏地となる袋が、はみ出さないように、袋のサイドと底にフォックを付け収納できるようにする。以上を特徴とするエコ帽子である。
【発明の効果】
【０００５】  本発明は、帽子と手提げ袋を一体化させることにより、手提げ袋を持ち歩く頻度を高め、レジ袋を使う事がなくなり地球環境に役立つ。また、帽子としてのデザインと機能を保っているために従来の帽子としても使用できる。
【発明を実施するための最良の形態】
【０００６】以下、本発明の実施の形態を説明する。
（イ）綿生地を使い袋状にする（５）。帽子の裏地部分となるために、帽子のデザインと      、かぶりごごちなどを考えた大きさにする。
（ロ）袋の裏地底に帽子の頭部（１）を付け、袋の口に帽子のつば（２）を付ける。
（ハ）頭部（１）と、つば（２）にオープンファスナー（６）を付け、帽子形状になるよ      うにする。
（二）手提げ紐（３）を取り付けるためのループ（４）をつばの両サイドに付ける。帽子      形状時に手提げ紐（３）が、オープンファスナーにかぶさるようにループを付ける      と、オープンファスナーを隠す事ができる。
（ホ）帽子形状の時の裏地となる袋（５）が、はみ出さないように、フォック（７）を付      け収納できるようにする。
本発明は、以上の構造よりなっている。
本発明を使用するときは上記の帽子のオープンファスナーを開けフォックをはずし、裏返しにするとエコバックとしての手提げ袋となる。
外出先で予定になかった買い物をしてしまった時に、また、旅先でパンフレットやお土産で手がいっぱいになった時にエコバックとして使用する。
最近では老若男女問わず帽子を着用しています。帽子の裏地、すなわち袋になる部分（５）を薄くて通気性があり蒸れを防ぐ丈夫な生地にした事で、従来と変わりなく帽子機能を果たす。
エコバックだけだと持ち歩くのを忘れがちであったり、また、多くの方に地球環境を考えエコバックの利用をして頂きたいため、帽子機能と一体化したものである。
【図面の簡単な説明】
【０００７】
【図１】本発明の斜視図
【図２】本発明の断面図
【図３】本発明の分解図
【図４】本発明の分解図
【図５】本発明の状態を示す斜視図
【符号の説明】
【０００８】    １頭部
２つば
３手提げ紐
４ループ
５袋
６オープンファスナー
７フォック
８袋底
【図１】
2010090518.tif 000003
【図２】
2010090518.tif 000004
【図３】
2010090518.tif 000005
【図４】
2010090518.tif 000006
【図５】
2010090518.tif 000007
(57)【要約】【課題】足が蒸れないように５本指ソックスはあるが、指が横に広がり、グロテスクに見え、むさくるしく感じられた。  本発明は、覆う指を少なくした靴下を提供する。【解決手段】  足の親指・中指・小指の３本だけを覆い、人差し指と薬指を裸にした３本指靴下。【選択図】図１
2010090519.tif 000002
【特許請求の範囲】
【請求項１】
足の親指・中指・小指を覆い、人差し指と薬指を裸にした３本指靴下。
【発明の詳細な説明】
【技術分野】
【０００１】  本発明は、足の親指・中指・小指・を覆った３本指ソックスに関するものである。
【背景技術】
【０００２】  従来、足の汗や蒸れを防ぐために、５本の指を一本ずつ全部覆って、隣の指と直接触れないようにしていた。
【発明の開示】
【発明が解決しようとする課題】
【０００３】  ５本指ソックスは、指が横に広がり、ぼてぼてとしてグロテスクに見え、涼しさを感じなかった。
本発明は以上の問題点を解決するものである。
【課題を解決するための手段】
【０００４】  ５本指ソックスの人差し指と薬指の部分を取り除き、他の３本の指だけを覆うようにしたソックス。
【発明の効果】
【０００５】  足の指を覆うのを１本おきにすれば、５本指ソックスより足の横幅を狭くし、スマートになり、しかも隣の指と直接触れないので、足の蒸れを少なくし、水虫などの予防には効果的である。
指が２本裸になるので、足だけでなく体全体が涼しく感じられ、又滑りやすいところでは滑りにくくなる。
裏返すのに５本指ソックスより手間がかからない。
指２本分の原料を節約できる。
【発明を実施するための最良の形態】
【０００６】  親指部（１）・中指部（２）・小指部（３）を設け、人差し指の入る穴（４）と薬指の入る穴（５）を設ける。５本指ソックスの人差し指と薬指の部分を取り除いた形。
【図面の簡単な説明】
【０００７】
【図１】  本発明の上面図
【図２】  本発明の斜視図
【符号の説明】
【０００８】  １  親指
２  中指
３  小指
４  人差し指の入る穴
５  薬指の入る穴
【図１】
2010090519.tif 000003
【図２】
2010090519.tif 000004
(57)【要約】      （修正有）【課題】着脱による身体への負担が少なく迅速に行え、着心地のよい衣服であると同時に、衣服選択による自己表現を妨げない衣服を提供する。【解決手段】身頃部分に伸縮性の高い生地を使った１枚目の服と、１枚目の服の袖部と意匠的に繋がりのある生地を身頃部分に使い袖部は有しないかあっても短い２枚目の服とを組み合わせて着用し、２枚目の脇や前中心肩などの身ごろの体に沿った部分を開閉して着用する形を使って、あらゆるタイプの既製品の外観を表現する。また、伸縮性や吸水性に優れた素材の選択で、下着としての機能性も兼ねることができる。【選択図】図１
2010090514.tif 000002
【特許請求の範囲】
【請求項１】
身頃部分に伸縮性の高い生地を使い袖部を有する１枚目の服と、１枚目の服の袖部と意匠的に繋がりのある生地を身頃部分に使い袖部は有しないかあっても短い２枚目の服とを組み合わせて着用する衣服であって、２枚目の脇や前中心肩などの前身ごろの体に沿った部分に開きを持ちその部分に開閉具を設けた衣服。
【請求項２】
１枚目の身頃部分に、着物タイプ・セパレートタイプ（実用新案申請中）・半着物タイプ（実用新案申請中）・通常のＴシャツの形の身頃を用いた請求項１に記載の衣服。
【発明の詳細な説明】
【技術分野】
【０００１】
本発明は、通常の衣服よりも着脱が容易な衣服に関するものである。高齢者、身体障害者、寝たきりの患者等、通常の着替えが出来ず他人の介護を必要とする要介護者に対し、介護者が着替えを容易に行うことができるので介護服としての使用が可能な衣服に関するものである。どのような身体状況であっても健常者と変らないファッションを楽しむことができる衣服に関するものである。また、制服や健常時に着ていたお気に入りの服などを要介護の状態になってもリフォームして着用できる介護用衣服に関するものである。
【背景技術】
【０００２】
高齢者、身体障害者、寝たきりの患者等の介護を必要とする要介護者は、腕を伸ばしたり曲げたりする動作を自らの意思の通りに自由に行うことができないため、衣服の着替えの際に介護者の助けを必要とする場合があるが、この場合、要介護者は不自由な腕を動かすこととなり、苦痛を伴ったり、労力を必要とするものであった。そこで、苦痛、労力を伴うことなく着替えを容易に行うことのできる介護衣服として多くの発明が提案されている。
【０００３】
しかし、機能面のみが注目されて、本来衣服の持っている「自己表現の方法」としての側面が軽視されてきた傾向は否めない。
【発明の開示】
【発明が解決しようとする課題】
【０００４】
そこで、本発明は、要介護者が着替えを行う場合に、身体への負担が少なく迅速に行え、しかも着心地のよい衣服であると同時に、衣服選択による自己表現を妨げない衣服を提供することを課題とする。
【課題を解決するための手段】
【０００５】
この課題を解決するための本発明は、身頃部分に伸縮性の高い生地を使い袖部を有する１枚目の服と、１枚目の服の袖部と意匠的に繋がりのある生地を身頃部分に使い袖部は有しないかあっても短い２枚目の服とを組み合わせて着用し、２枚目の脇や前中心肩などの身ごろの体に沿った部分を開閉して着用する形を使って、あらゆるタイプの既製品の外観を表現することを特徴とする。
【０００６】
請求項２に記載の発明では、請求項１記載の発明による衣服において、着脱が容易な１枚目の衣服を、着用者の身体の状態に合わせて選択できることを特徴とする。また、身頃部分に伸縮性や吸水性に優れた素材の選択することで、下着としての機能性も兼ねることができる。
【発明の効果】
【０００７】
請求項１に記載の発明によれば、着脱を手助けしてもらう場合に介護者・要介護者の負担を低減することができる。また、その外観は通常の衣服と変わらずお洒落なデザインとすることができ、来客があっても見栄えが良いため着用したままで応対したり、要介護者の自立を目指し、自らの意思で周りの人の目を気にすることなく外出を思い立つのを助けることができる。また、かねてからのお気に入りの衣服を、関節が思うように挙がらないなどの身体的な理由から着用をあきらめたりすることなく、そのときの身体状況に応じてリフォームすることもでき、衣服による自己表現を妨げないし、衣服を大切に着続けることができる。
【０００８】
請求項２に記載の発明によれば、請求項１に記載の効果に加えて、１枚目の衣服の着心地を向上させることができ、着替え時の作業を容易に行うことができる。
【０００９】
以下、本発明を具体化した実施形態を図に基づいて詳細に説明する。
【実施例】
【００１０】
図１から図９は本発明の衣服を示すものであり、衣服は図２・図３・図４・図５、図８に示す１枚目の服と、図６、図９に示す２枚目の服を、図１、図７のように重ねて着用する。
【００１１】
１枚目の服は、着用者の身体状況に合わせて図２から図５からタイプを選択することでより快適に着用することができる。
【００１２】
２枚目の服は、身ごろの体に沿った部分のいずれかを開閉して着用するが、例えば着用者が腕の上げ下ろしに痛みを伴う場合などの身体状況に合わせて、図６のような前あきデザインの衣服であっても、図９のように肩や脇の部分に開閉部を設けることも可能である。
【００１３】
１枚目の袖部は、２枚目の身頃部とデザインの繋がるものを用いることで一般の衣服の外観を表現することができ、自宅で着用している場合に来客があっても見栄えが良いため着用したままで応対したり、人の目を気にせず外出することができる。
【００１４】
１枚目の服の身頃部分に使用する素材としては、ニット類、綿等が適用可能で、これらの素材は着用者への肌触りがよく、着心地が良い。
【００１５】
本発明は、本実施例に限られるものではなく、各構成要件の具体的構成は適宜設計し得るものであるから、図１から図９に示した開襟シャツとタートルネックニット以外にもブラウスやジャケット等あらゆる既製品の外観を表現可能であり、衣服のリフォームにも適している。
【図面の簡単な説明】
【００１６】
【図１】本発明の衣服、開襟シャツ組み合わせ着用時の正面図である。
【図２】開襟シャツの場合の１枚目の衣服、着物タイプである。
【図３】開襟シャツの場合の１枚目の衣服、セパレートタイプである。
【図４】開襟シャツの場合の１枚目の衣服、半着物タイプである。
【図５】開襟シャツの場合の１枚目の衣服、通常のＴシャツタイプである。
【図６】開襟シャツの場合の２枚目の衣服である。
【図７】本発明の衣服、タートルネックニット組み合わせ着用時の正面図である。
【図８】タートルネックニットの場合の１枚目の衣服、着物タイプである。
【図９】タートルネックニットの場合の２枚目の衣服である。
【図１】
2010090514.tif 000003
【図２】
2010090514.tif 000004
【図３】
2010090514.tif 000005
【図４】
2010090514.tif 000006
【図５】
2010090514.tif 000007
【図６】
2010090514.tif 000008
【図７】
2010090514.tif 000009
【図８】
2010090514.tif 000010
【図９】
2010090514.tif 000011
(57)【要約】【課題】  帽子のひさしへクリップを使用して着脱を容易にした日除けで首の側面と背面への太陽光を遮断する事を目的とする【解決手段】  太陽光を遮断する布風部材３が取り付けられたＵ字型の細い軽量弾性部材２の両端に一体と成るクリップを取り付け、そのクリップを用いて帽子のひさしに日除けを取り付ける。これによりひさしの有る帽子への日除けの着脱が容易である事を特徴とする。【選択図】図１
2010090520.tif 000002
【特許請求の範囲】
【請求項１】
Ｕ字型で細い軽量弾性部材であってＵ字型の両端にクリップが取り付けられていると共に両クリップ間の細い軽量弾性部分を利用して、首の前面以外へ注ぐ太陽光を遮断できる大きさの布風部材を取り付けたことを特徴とするクリップ付き日除け。
【請求項２】
前記細い軽量弾性部材は、一体となっているクリップを通じてしっかりと帽子のひさしに取り付けられる事から、帽子の形状に合わせた形を特徴とする請求項１記載のクリップ付き日除け。
【請求項３】
前記布風部材には、プリーツを付けて、柔らかく、広く太陽光を遮断出来る様に使い勝手を良くした事を特徴とする請求項２記載のクリップ付き日除け。
【請求項４】
前期布風部材には、リボンや企業ロゴ、商標等を付し、楽しく且つ広告の一部として使用する事を特徴とする請求項３記載のクリップ付き日除け。
【発明の詳細な説明】
【技術分野】
【０００１】  本発明は、一般に使われている布風部材を用いた帽子の日除けに関する。
【背景技術】
【０００２】  従来の帽子は、頭部と顔の上部を太陽光から防ぐ機能を有しているだけである。【０００３】  従来の日除け付き帽子は、日除けが帽子に直接縫い付けられており、一体不可分であり、日除け布が不要な時に取り外す事が出来ない。【０００４】  従来の日除け付き帽子は、機能を主体としており、リボンやブランドロゴを付した楽しく感じるものでは無い。
【発明の開示】
【発明が解決しようとする課題】
【０００５】  前記の如く、帽子は、頭部と顔の上部を太陽光から遮断する機能を有しているだけで、首の周囲、特に首の背面側は常に太陽光が降り注ぎ熱射病や皮膚ガン、シミの原因と成っており、美容、健康の面から問題と成っているのが現状である。【０００６】  上述の如く、従来の日除け付き帽子は、日除け無しで帽子を使用する事はできず、更に自分の好みの帽子に日除け布を取り付ける事は簡単では無い。【０００７】  本発明は、このような点に鑑み、為されたものであり、その目的は、日除け布を取り付けたＵ字型の細い軽量弾性部材の両端にクリップを取り付け、そのクリップにより全ての帽子への着脱を安価で容易に出来るようにすることに有る。
【課題を解決しようとするための手段】
【０００８】  上記の目的を達成しようとする本発明のクリップ付き日除けは、Ｕ字型の細い軽量弾性部材であって、Ｕ字型の両端にクリップが取り付けられていると共に、両クリップ間の細い弾性部分を利用して、首の前面以外へ注ぐ太陽光を遮断できる大きさの布風部材を取り付けた事を特徴とするクリップ付き日除け。
【０００９】  前記細い軽量弾性部材と一体となったクリップにより、帽子のひさしに取り付ける位置を前後にずらす事で帽子と本発明のクリップ付き日除けの納まり具合を調節でき、一層快適な位置を確保できる。
【００１０】  前記布風部材には、プリーツを付けてより柔らかく、広く、太陽光を遮断出来るようにし、併せて、リボンや企業ロゴ、商標等を付し楽しく且つ広告の一部としても使用できるクリップ付き日除け。
【発明の効果】
【００１１】  以上説明したように、本発明によれば、Ｕ字型で細い軽量弾性部材の両端にクリップを取り付け、その両クリップ間の細い軽量弾性部分に首の前面以外へ注ぐ太陽光を防ぐ大きさの布風部材を取り付ける事によって、ひさしがある多くの帽子にクリップによっていとも簡単に取り付け取り外しが可能となる、このクリップ付き日除けを使えば、屋外での作業時の熱射病の防止になり、皮膚ガン防止に役立つ、更には、日除けと上記布風部材に企業ロゴやブランドロゴを施す事によって楽しく、且つ高級感を感じる様になる。
【発明を実施するための最良の形態】
【００１２】  以下本発明の実施の形態を図面に基づき詳細を説明する。【００１３】  図１はその外観斜視図、図２はその中央部の縦断面図、図３はその正面図、図４は、帽子に装着した外観斜視図である。【００１４】  図１、図２に示す様にＵ字型の細い軽量弾性部材２は、プラスチック等の石油精製品や金属等で出来ている、そしてその両端にプラスチック等の石油精製品や金属等で出来ていて、物を挟む力の強いクリップ１の上側部面を使用し、強力に接着剤で接着取り付けられていると共に、両クリップ間の細い軽量弾性部材２には巻き付くように布風部材３がしっかりと接着されている。【００１５】  図１に示すＵ字型の細い軽量弾性部材２は、そのＵ字型が帽子の被り口の外側形状に合わせたＵ字型をしている、従って、帽子を被る際にも全く違和感無く被る事が出来る。【００１６】  図２に示すＵ字型の細い軽量弾性部材２とクリップ１は、一体となる様にしっかりと接着剤で接着取り付けられていることから、帽子のひさしをしっかりと挟む様に成っていて、このクリップを使って図４に示す様に帽子に本クリップ付き日除けを装着すれば、正に帽子と一体と成り、布風部材３により首の周囲に注ぐ太陽光を遮断し、爽快感を得られる。【００１７】  図１、図２に示す様に太陽光を遮断する役目を担う布風部材３は、Ｕ字型の細い軽量弾性部材に巻き付くように接着剤を用いて強力に取り付けられていて、その長さは、肩にかかる程度の長さであり、首の側面と背面を覆う事によりその機能を発揮する。更には、クリップ１に近接する布風部材３の端部５についてはその剥がれを防ぐため、糸等でしっかり結わえてある。【００１８】  図１、図２に示す様に布風部材３には、図２に示す様にプリーツ４が設けられており、それにより、同部材が、より柔らかく、広く、首周りを覆うように工夫されている。【００１９】  図４に示す様に布風部材３には、女性が楽しく使用出来る様にリボン５を付けたり、広告の一部として使用出来る様に企業ロゴや商標等を印刷できる。【００２０】  以上本発明の実施の形態及び実施例を説明したが、本発明の範囲は、これに限定されるものでは無い、例えば、前記Ｕ字型の細い軽量弾性部材２とクリップ１はプラスチック等の石油精製品や金属等で一体成型する事も可能である。【００２１】  又、クリップ１は帽子のひさしをしっかりと挟む様に対向しているが、併せて、帽子のひさしの緩やかな曲面に沿って挟める様に各々やや上向きに作ることも可能である。
【図面の簡単な説明】
【００２２】
【図１】    本発明の第１の実施の形態に係る外観斜視図である。
【図２】    図１の中央縦断面図である。
【図３】    図１の正面図である。
【図４】    本発明の第２の実施の形態に係る外観斜視図である。
【図１】
2010090520.tif 000003
【図２】
2010090520.tif 000004
【図３】
2010090520.tif 000005
【図４】
2010090520.tif 000006
(57)【要約】      （修正有）【課題】髪形を崩さずに髪の毛を覆いやすくするための、フード付きエプロンを提供する。【解決手段】エプロン１の首周りにフード２を設け、フードの後ろ側に長い髪の毛をまとめて出す為や、エプロン１を着用し易くするための切れ込み３を設けたことを特徴とする、フード付きエプロン。【選択図】図１
2010090522.tif 000002
【特許請求の範囲】
【請求項１】
エプロンの首周りにフードを設け、フードの後ろ側に長い髪の毛をまとめて出す為や、エプロンを着用し易くするための切れ込みを設けたことを特徴とする、フード付きエプロン。
【発明の詳細な説明】
【技術分野】
【０００１】  本発明は、料理の際に髪の毛が落ちないように、簡単に髪の毛を覆うためのフード付きエプロンに関するものである。
【背景技術】
【０００２】  従来は、料理をつくる際は三角巾で髪の毛を覆って料理に髪の毛が落ちないようにしていた。
【発明の開示】
【発明が解決しようとする課題】
【０００３】  そのために次のような問題点があった。
三角巾で髪の毛を覆うと三角巾で結んだ跡が髪の毛に残ったり、セットした髪型が崩れたりしてしまっていた。そのため、三角巾で髪の毛を覆うのがわずらわしく髪の毛を覆わずに料理をする原因になっていた。  本発明は、以上の問題点を解決するためになされたものである。
【課題を解決するための手段】
【０００４】  エプロンの首周りにフードを設け、フードの後ろ側に長い髪の毛をまとめて出す為やエプロンを着用し易くするための切れ込みを設ける。
以上を特徴とする、フード付きエプロンである。
【発明の効果】
【０００５】  髪型を崩さずに髪の毛を覆うことが出来、またエプロンと一体化してある事によって使い勝手が良く直ぐに髪の毛を覆うことができる。
【発明の実施するための最良の形態】
【０００６】  以下、本発明の実施の形態について説明する。
（イ）エプロン（１）の首周りにフード（２）を設け、フード（２）の後ろ側に切れ込み（３）を設ける。
本発明は以上のような構造で、これを使用するときは、エプロン（１）を通常通り着用し、エプロン（１）に設けたフード（２）を頭にかぶり、髪の毛（４）を覆う。また、髪の毛（４）の長い女性は髪の毛（４）をまとめて、フード（２）の後ろ側の切れ込み（３）部分より髪の毛（４）を出すことで、ゴムなどでしばらなくても髪の毛（４）をまとめて料理が出来る。
【図面の簡単な説明】
【０００７】
【図１】本発明の前側の斜視図
【図２】本発明の後ろ側の斜視図
【図３】本発明の使用状態を示す斜視図
【符号の説明】
【０００８】    １  エプロン
２  フード
３  切れ込み
４  髪の毛
【図１】
2010090522.tif 000003
【図２】
2010090522.tif 000004
【図３】
2010090522.tif 000005
(57)【要約】【課題】  長時間帽子を被っていると熱や汗がこもる。  鳩目穴や、メッシュ布で、対応しても不充分である。ひさしを長くのばしても、鼻の頭や、口廻りのＵＶカット迄は不充分である。  この問題を解決するため、この帽子を提供する。【解決手段】  帽子を頭頂部、側面部、ひさし部と各独立させ相互間を連結材により接続させ空間を作る。  首筋と顔の紫外線の保護は、ほほから、後頭部に廻したベールで。  鼻の頭、口廻りは口布で行う。  帽子、ベール共にＵＶカットを施した布を使用する。【選択図】図１
2010090525.tif 000002
【特許請求の範囲】
【請求項１】
頭頂部、側面部、ひさし部と独立した各部を、連結材で、接続した帽子に、着脱自在の口布つきベールをつけた帽子。
【発明の詳細な説明】
【技術分野】
【０００１】  本発明は帽子にこもる熱や汗をにがし首筋、顔の紫外線の保護を目的とする帽子に関するものである。
【背景技術】
【０００２】  従来は、左右側面に、鳩目穴や、メッシュ布を付ける事により熱や汗を、放散させていた。
又帽子後部に、布をつけ首筋のＵＶカットをしていた。
【発明の開示】
【発明が解決しようとする課題】
【０００３】  帽子を長時間被っていると、熱や汗がこもる。
鳩目穴やメッシュ布で対応しているが、わずかな開放では不足である。
紫外線保護に対しては、後頭部に布をつけ首筋のＵＶカットは考えられているが、
顔面の保護には至っていない。
本発明はこの問題を解決するものである。
【課題を解決するための手段】
【０００４】  帽子を頭頂部、側面部、ひさし部と各独立させ相互間を連結材により接続させ空間を作る。
首筋と顔の紫外線保護はほおから後頭部に廻したベールで
鼻の頭、口廻りは口布で行う。
帽子・ベール共にＵＶカットを施した布を使用する。
【発明の効果】
【０００５】  側面部に広く空間を作り、熱や汗を、にがす事に重点を置いたので、鳩目穴や、メッシュ布と比較して開放面積が広い。
側面部の形状、相互間の連結材を変える事によりファッション性の高い帽子を作る事が出来る。
ベールと口布を別仕立てにしてあるので、後首まで風が通り長時間の外出に有利。
この帽子は国外に出た際、ある種の人にとつては、神秘的ふんいきを、かもし出していると、感じるらしく接近をためらう行動がある。
【発明を実施するための最良の形態】
【０００６】（イ）頭頂部（１）側面部（２）ひさし部（３）と独立させ各部をビーズ、木材、竹、革、金属等の連結材（４）で接続し、空間を作る。
（ロ）側面部（２）はだ円形，長方形の様に、種々の形状、個数を組み合わせ、デザインを楽しむ事が出来る。
（ハ）ベール（６）は止め具（５ａ）、（５ｂ）で、帽子と固定。
必要に応じて着脱自在。
（ニ）口布（７）は口布止め具（８ａ）、（８ｂ）でベールに固定。
礼を失しない様、臨機応変に取り扱う。
（ホ）全てＵＶカット布を使用する。
【図面の簡単な説明】
【０００７】
【図１】  本発明の正面図
【図２】  本発明の装着図
【図３】  本発明の側面部の形状例
【符号の説明】
【０００８】  １    頭頂部
２    側面部
３    ひさし部
４    連結材
５ａ  止め具
５ｂ  止め具
６    ベール
７    口布
８ａ  口布止め具
８ｂ  口布止め具
【図１】
2010090525.tif 000003
【図２】
2010090525.tif 000004
【図３】
2010090525.tif 000005
(57)【要約】      （修正有）【課題】着用感にメリハリがあり着心地良く体の部位の体型補正に貢献し、別布を裏打ちする手間を省き生産性を高める効果があるパワーネットを提供する。【解決手段】伸び方向１に対して平行に、任意の設定巾の強伸縮率サテン調部分２と弱伸縮率メッシュ調部分３を交互に連続して配置し編み立てたことを特徴とするストライプ柄形状のパワーネット４。【選択図】図１
2010090521.tif 000002
【特許請求の範囲】
【請求項１】
伸び方向に対して平行に、任意の設定巾の強伸縮率サテン調部分と弱伸縮率メッシュ調部分を交互に連続して配置し編み立てたストライプ柄形状のパワーネット。
【発明の詳細な説明】
【技術分野】
【０００１】  この発明は、伸び方向に対して平行に、任意の設定巾の強伸縮率サテン調部分と弱伸縮率メッシュ調部分を交互に連続して配置し編み立てたストライプ柄形状のパワーネットに関するものである。
【背景技術】
【０００２】  従来、パワーネットは生地全体の編み立てや伸縮率が均一であった。
【発明の開示】
【発明が解決しようとする課題】
【０００３】  従来のパワーネットを用いたガードルなどは、着用すると全体を均一に締め付けるため着用感にメリハリがなく、ヒップなど体の気になる部位に対して体型補正効果を感じにくかった。そのため各メーカーはその欠点を補うために別布を裏打ちなどして体型補正効果を高めようとしたが手間がかかった。
本発明は以上の欠点を解決し、着用感にメリハリがあり着心地良く体の部位の体型補正効果を感じるガードルなどを製造し、別布を裏打ちする手間を省き生産性を高める効果があるパワーネットを提供しようとするものである。
【課題を解決する手段】
【０００４】  伸び方向（１）に対して平行に、任意の設定巾の強伸縮率サテン調部分（２）と弱伸縮率メッシュ調部分（３）を交互に連続して配置し編み立てたストライプ柄形状のパワーネット（４）を作成する。
【発明の効果】
【０００５】  本発明のストライプ柄形状のパワーネットを使用しガードルを作成することにより、着用者はストライプ柄交互の伸縮率強弱によるメリハリを感じ、体型補正をしている満足感を得ることができる。また、ストライプ柄交互の伸縮率強弱を設けているので別布を裏打ちする手間を省き生産性を高めることができる。また、弱伸縮率メッシュ調部分では通気性に優れるので着心地が良い。
【発明を実施するための最良の形態】
【０００６】  以下、本発明の実施の形態について説明する。
【実施例１】
【０００７】  伸び方向（１）に対して平行に、任意の設定巾の強伸縮率サテン調部分（２）と弱伸縮率メッシュ調部分（３）を交互に連続して配置し編み立てたストライプ柄形状のパワーネット（４）を作成する。
本発明は以上の構成よりなっている。
なおこの構成は、パワーネットの他にサテンネットや天竺やトリコットなど伸縮率に優れた生地に応用ができる。
また、ストライプ柄形状の任意の設定巾は１ｃｍから５ｃｍ位が望ましいが限定するものではない。
また、ストライプ柄形状は平行柄が望ましいが限定するものではなく、同様な効果が得られるならば波柄やジグザグ柄やうろこ柄などの別柄を用いることができる。
また、ストライプ柄形状は柄ごとに伸縮率の強弱をはっきり区別しないで、なだらかな波状曲線グラフになるような伸縮率の強弱を構成してもよい。
また、ストライプ柄形状は伸び方向に対して平行に限らず、垂直方向や斜め方向に構成してもよい。
また、強伸縮率サテン調部分（２）は強伸縮率を保てばサテン調に限らず光沢のない構成などでもよい。
また、弱伸縮率メッシュ調部分（３）は弱伸縮率を保てばメッシュ調に限らず単に薄手にするなどの構成などでもよい。
また、本発明は任意の設定巾の強伸縮率サテン調部分（２）と弱伸縮率メッシュ調部分（３）を交互に連続して配置しているので２段階の構成になっているが３段階４段階それ以上の段階構成にしてもよい。
また、交互に連続して配置していれば強伸縮率サテン調部分（２）と弱伸縮率メッシュ調部分（３）の順序は問わない。
【産業上の利用可能性】
【０００８】  本発明のストライプ柄形状のパワーネットを用いてガードルなどを作成すると女性の体型補正向上に貢献し、生産性を高めることができる。また、パワーネットに限らず上述のサテンネットや天竺やトリコットなど伸縮率に優れた生地に応用できるので産業上広く利用できる。
【図面の簡単な説明】
【０００９】
【図１】本発明を示した正面図である。
【符号の説明】
【００１０】１    伸び方向
２    強伸縮率サテン調部分
３    弱伸縮率メッシュ調部分
４    ストライプ柄形状のパワーネット
【図１】
2010090521.tif 000003
(57)【要約】【課題】  風力発電機のプロペラ及び柱部分の外側の、太陽光の当たりうる部分に、太陽光発電装置を貼り付けることを特徴とする、太陽光風力複合発電機を提供する。【解決手段】  （イ）風力発電機（１）（２）（３）（４）の外面に太陽光発電装置（５）を貼り付ける。  （ロ）風力発電機による電力と太陽光発電装置による電力を統合（１１）する。【選択図】図１
2010090886.tif 000002
【特許請求の範囲】
【請求項１】
風力発電機のプロペラ及び柱部分の、外側の太陽光の当たりうる部分に、太陽光発電装置を貼り付けることを特徴とする、太陽光風力複合発電機。
【発明の詳細な説明】
【技術分野】
【０００１】  この発明は、風力発電機のプロペラや柱の外側の太陽光が当たる部分に、太陽光発電装置を貼り付けることを特徴とする、太陽光風力複合発電機に関するものである。
【背景技術】
【０００２】    従来、風力発電機はそのものだけとして作られ、太陽光発電装置はそのものだけとして作られていた。
【特許文献】  検索の結果、複合発電装置はみあたらず。
【発明の開示】
できない。
【発明が解決しようとする課題】
【０００３】  別々にしておくことには次のような欠点があった。
まず、風力発電機では海岸や山頂などの設置場所の自然環境により、晴れてはいるものの風が吹かないときがある。このときは発電できない。これはこの装置のマイナス面である。そして風力発電機の外面に当たっている太陽光が無駄に捨てられていることも、大きなマイナスである。
また、太陽光発電装置は太陽光が照る間は発電できるが、日没になると発電できない。これはこの装置のマイナス面である。日没以降であっても風が吹いていれば発電できるエネルギーを捨てているともいえ、この点もマイナス面である。
本発明は、これらの欠点を除くためになされたものである。
【課題を解決するための手段】
【０００４】  風力発電機のプロペラ及び柱部分の外側の、太陽光が当たりうる部分に、太陽光発電装置を貼り付けることを特徴とする、太陽光風力複合発電装置である。
【発明の効果】
【０００５】本発明では次の新しい効果を獲得できる。
まず、風のある日中では風力発電と太陽光発電を同時にでき、発電効率を上げられる。
次に、風が止んでも太陽光発電が続けられる。将来は可視光線以外の光による太陽光発電も取り入れられることが期待されており、風のない曇りや雨の日でも太陽光発電ができ、発電効率の増大が期待出来ると考えられる。
そして、日没以降は太陽光発電は無理で、風力発電が風があれば発電をすることが出来ることになる。以上のように、相互に補い合って発電効率を上げることが出来るのである。
また、現在太陽光発電装置の研究成果として、薄膜式のものが開発されつつあり、それが実用化すれば遥かに軽量化が実現し、本発明の効果を一層高めることが期待される。
【発明を実施するための最良の形態】
【０００６】  以下、本発明の実施形態について説明する。
（イ）  風力発電機（１）（２）（３）（４）の外面に太陽光発電装置（５）を貼り付ける。
（ロ）  風力発電機による電力と太陽光発電装置による電力を統合（１１）する。
【図面の簡単な説明】
【０００７】
【図１】  本発明の斜視図
【図２】  本発明のプロペラ部分の拡大斜視図
【図３】  本発明のキャップ部分の断面図
【図４】  本発明の電力統合経路の模式図
【符号の説明】
【０００８】１    プロペラ
２    キャップ
３    風力発電部
４    柱
５    太陽光発電装置
６    太陽光発電装置電線
７    環状電極
８    軸
９    接触性端子
１０  風力発電用電線
１１  電力統合経路
【図１】
2010090886.tif 000003
【図２】
2010090886.tif 000004
【図３】
2010090886.tif 000005
【図４】
2010090886.tif 000006
(57)【要約】【課題】    従来、実用真空度の負圧力域の水等、蒸発しやすい液体を大気中又は系外に排出する手段として次の理由からポンプを利用できなかった。第一にポンプの吸入弁が真空吸引力で固着し開かず吸引がなされない。第二に吸入弁が開放された状態を仮定した場合、実用真空度の負圧力域の水等、液体をシリンダー内への急峻な吸引の際、圧力低下変動に伴う沸騰、空洞の発生がシリンダー内容を占有し、棒ピストンは結果として、空回りに終始し、ポンプは機能しない。【解決手段】  往復動ポンプの従来の吸入弁に替えて操作弁を設け、吸入の適正な位置で開き、圧縮の寸前で閉じるべく装置を設定し制御せしめる。併せて棒ピストンの吸引後退運動の速度制御をシリンダー内への自然流入速度と相応して行い正常なる吸引、圧縮吐出の行程を実現するポンプを提供する。【選択図】図１
2010090885.tif 000002
【特許請求の範囲】
【請求項１】
吸込みの動作にあって、従来の吸入弁に替えて設けられた操作式吸入弁の開放、棒ピストンの後退、操作式吸入弁閉止を自動制御の操作を成して、実用真空度の負圧力にある容器中の水等、液体をポンプのシリンダー内に導き、これを棒ピストンにて押出し、吐出、排出流動せしめることを特徴とする往復動ポンプ。
【請求項２】
前項の自動制御の操作とはポンプシリンダー内に圧力変動を最少にして水等、液体を充満できる棒ピストンの最大速度を基準とした運動とこれに沿った操作式吸入弁の開放又は閉止の操作を規則的に作動させる機能を総称する。
【発明の詳細な説明】
【技術分野】
【０００１】  本発明は実用真空度の負圧力域に於ける水やその他液体を大気中又は系外に排出せしめるため、液体が落差によって自然に流れる力をもってポンプシリンダーにこれを導く手段として、吸入弁の開閉と棒ピストンの速度を自在に操作制御できる往復動ポンプの機能をもって構成する。
【背景技術】
【０００２】  従来、実用真空度の負圧力域に於ける水等の蒸発しやすい液体を大気中に排出できるポンプは現出していない。唯一、霧吹きと同一の原理を応用したエジェクタ−方式があり、エジェクタ−単独、又はポンプにエジェクタ−を組み合わせたものが広く用いられている。この方法は非効率な吸引力発生の仕組みに基づくことから過大な動力消費が避けられない。
【発明の開示】
【発明が解決しようとする課題】
【０００３】  旧来のポンプは吸引の働きの障害があって省みられなかった。障害とは第一に、吸入管路の真空力による吸い込み弁の固着に伴い、吸い込み開始瞬時に正常な弁開放がなされない。第二に真空領域の水に吸引の力を加えると沸騰、空洞が発生して吸引が空回りとる。これらの原因によって今日までポンプ方式では不可能であった。
【課題を解決するための手段】
【０００４】  往復動ポンプの吸入障害の一つは真空域側からの吸入弁の引き付け、吸入弁の固着であってこれを解決する為に、従来の吸入弁に替わって、操作弁をここに設けポンプ外部からの制御系統によって強制的に開閉を操作し作動させる。【０００５】  第二の吸入障害は棒ピストンの吸入後退において、シリンダー内の急激な圧力低下にともなう液体の沸騰、空洞の発生であって、この問題に対しては、自然の液体の流れに相応しい棒ピストンの後退速度をもって制御しこの運動により正常な吸い込みを行わせる。
【発明の効果】
【０００６】  操作式吸い込み型ポンプは、あらゆる実用真空度領域中の水等の蒸発しやすい液体を大気又は他系への排水を高い能率で簡単に行えるものである。あらゆる実用真空度領域を扱う各種の装置、設備に利用できる。
【発明を実施するための最良の形態】
【０００７】  図１は、操作弁７を装着した往復動ポンプを示す図であって、従来のものでの真空、負圧力域の水等蒸発しやすい液体の吸引障害の一方である図２吸入弁５ａの固着を解消する仕組みを構成する。シリンダー前方に設けられた吸入口に操作弁７が取り付けてあって、この操作弁７を開閉制御して掛かる流体をポンプシリンダー１に導き、棒ピストン２の前後運動で吸引、吐出、排出させる。
図２は、従来の棒ピストン式の吸入弁５、吐出弁６及びポンプの仕組みを示す。同時に吸入口３ａには真空の負圧力で水が満たされている状態を仮定している。真空の吸引力によって、吸入弁５ａが固着している。棒ピストン２ａの後退によるシリンダー内部圧力低下がこれを超えるまで継続される。しかし繰り返される棒ピストンの前後運動はシリンダー内残留液の膨張蒸発、圧縮、液体化の繰り返しと、吸入弁５ａが少し開いても液流入に伴い瞬時に膨張、蒸発気化の現象が発生、蒸気となりこれを棒ピストン２ａで圧縮する動作の繰り返しに終始して結果、正常なポンプの機能は果たされない。【０００８】  真空域中の液体をシリンダー内に沸騰の状態変化させず正常に流し導くためには、自然な流れこみ増量に等しい、シリンダー内容積増加速度の確保をもって、棒ピストンの後退運動が設定された機構を確保しなければならない。棒ピストンの吸引後退は等速度が好ましいが、クランクに連結される場合、最高速度が設定速度を越えないよう制御される。
【産業上の利用可能性】
【０００９】  真空の圧力域における空気等各種の気体の取り扱いにあたっては各種の真空ポンプが開発され利用されている。一方、真空域の液体は真空ポンプなど、この類の装置では取り扱えない実態が推移している今日の技術の現状がある。本件は往復動ポンプを利用してこの分野での困難を打開するとともに、各種の装置産業への利用によって省エネルギー、小型化を実現し、更に新規装置の開発、宇宙開発の課題にも応用される機能を備えている。
【図面の簡単な説明】
【００１０】
【図１】  吸入弁５ａに替わって操作式吸入弁５を装着した往復動ポンプの仕組みを示した断面図であって、操作弁７は汎用の各種操作弁を適用できる。
【図２】  従来の往復動ポンプの吸入弁５ａ、吐出弁６ａ及びポンプの仕組みを示した断面図であって、同時に吸入口３ａに真空の負圧力で水が満たされている状態を仮定して真空の吸引力によって、吸入弁５ａが固着している障害を示している。
【符号の説明】
【００１１】  １      ポンプシリンダー
２      棒ピストン
３      吸入口
４      吐出口
５      操作式吸入弁
６      吐出弁
７      操作弁
１ａ    ポンプシリンダー
２ａ    棒ピストン
３ａ    吸入口
４ａ    吐出口
５ａ    吸入弁
６ａ    吐出弁
【図１】
2010090885.tif 000003
【図２】
2010090885.tif 000004
(57)【要約】【課題】  家庭菜園などで使用する肥料を個人が自らコンポーザーなどで有機性廃棄物を利用して堆肥化することが普及しているが、有機物が微生物により分解されるときの熱エネルギーが未利用のまま廃棄されている場合が多い。【解決手段】  風力を動力源とした攪拌器及び送気ファンによって酸素を供給された微生物が有機物を効率的に分解することにより発生する熱を有効利用し、水よりも低沸点の媒体を気化させ、高圧の蒸気によりタービンを回して発電することにより、本来廃棄されるはずの熱エネルギーを有効活用する。【選択図】図１
2010090883.tif 000002
【特許請求の範囲】
【請求項１】
風力を動力源とした攪拌器及び送気ファンによって酸素を供給された微生物が有機物を効率的に分解することにより発生する熱を利用した発熱器。
【請求項２】
請求項１の発熱器から生じる熱を利用することにより、水よりも低沸点の媒体を沸騰させタービンを回して発電するその発電方法。
【発明の詳細な説明】
【技術分野】
【０００１】  本発明は、微生物が有機物を分解する時に発生する熱を有効利用して水より低沸点の媒体を沸騰させタービンを回す発電方法に関する。
【背景技術】
【０００２】  廃熱を利用して水より低沸点の媒体を沸騰させタービンを回して発電する方法は、地熱により生成された熱水を利用する方法（例えば、特許文献１参照）又は太陽熱を利用する方法（例えば、特許文献２参照）などがある。
【特許文献１】  特許公開２００１−１０７３４３
【特許文献２】  特許公開２００４−３４００９３
【発明の開示】
【発明が解決しようとする課題】
【０００３】  以上に述べた従来の発電方法では、地熱利用においては熱水を発生させるための地下掘削にかかるコストや労力が膨大なものとなり利用者が限定されること、太陽熱利用においては夜間や冬季に発電に必要な熱量が継続的に得られないことなどが課題として存在している。【０００４】  一方、家庭菜園などで使用する肥料を個人が自らコンポーザーなどで有機性廃棄物を利用して堆肥化することが普及しているが、有機物が微生物により分解されるときの熱エネルギーが未利用のまま廃棄されている場合が多い。【０００５】  本発明は、これらの課題を解決しようとするものであり、多くの人間がいかなる時でも自然エネルギーや廃熱を有効利用して十分な量の発電ができることを目的とする。
【課題を解決するための手段】
【０００６】  本発明は、誰もが自由に利用できる風力を間接的に利用することで、微生物の有機物分解を効率的に行い、その時に生じる熱を利用して発電を行うものである。【０００７】  風がプロペラを回転させ、その動力により円柱形の攪拌棒、送気ファンが回転する。【０００８】  送気ファンにより円筒形の送気管から排出口を通じ酸素を含む空気が発熱器に運搬され、発熱器内の有機物と微生物の混合物に供給される。また、この攪拌棒に付属する羽根により混合物が攪拌され、微生物による有機物の分解が促進される。【０００９】  分解の際、生じた二酸化炭素や水蒸気は別の管を通じて外部に排出される。【００１０】  微生物による有機物の分解熱により、発熱器が６０〜８０度に加熱される。熱は保温材により外部に漏出しないよう常時保たれる。【００１１】  発熱器の外側の蒸発器中にあるアンモニアやペンタン・フロンなどの媒体が、発熱器の熱により沸騰し媒体蒸気となり噴出孔から噴射され、蒸気タービンを回し発電を行う。【００１２】  タービンを通過した媒体蒸気は、空冷式復水器において送気ファンにより送気管を通じ取りこまれた外気と接触することにより液体に戻り、媒体注入管を通じて蒸発器に流下する。【００１３】  分解された有機物は堆肥としての再利用を行い、新たな有機物と定期的に交換を行う。
【発明の効果】
【００１４】  本来は廃棄されることの多かった堆肥作成時の微生物の熱エネルギーを有効に利用して発電を行うことができる。【００１５】  数ある自然エネルギーのうち、誰もが自由かつ手軽に利用できるものは、風力、太陽光、太陽熱など限られている。地球温暖化に対する早急な対策が求められる中、その風力と微生物の熱エネルギーを組み合わせて利用することでコンパクトな発電ができるようになる。
【発明を実施するための最良の形態】
【００１６】  以下、発明の実施の形態を図１〜２に基づいて説明する。【００１７】  図１において、１は攪拌棒であり、６の羽根と連結し、風を受けたプロペラの動力により回転する。【００１８】  ２は送気ファンであり、風を受けたプロペラの動力により回転する。送られる空気は、３の送気管から４の排出口を通じ５の発熱器内及び３の送気管から１１の空冷式復水器内に入る。【００１９】  ５の発熱器内には有機物及び微生物の混合物が充填されている。７の保温材で８の蒸発器の外側を覆うことより内部を常時高温に保つ。【００２０】  ８は蒸発器であり、注入されたアンモニアやペンタン・フロンなどの媒体が発熱器の熱により気化する。気化した媒体は高圧となり９の噴出孔から噴射され１０の蒸気タービンを回転させ発電を行う。【００２１】  １１は空冷式復水器であり、１０の蒸気タービンから流入した媒体蒸気を外気で冷却し液体に戻す。液体にもどされた媒体は１２の注入管を通じ蒸発器に入る。
【図面の簡単な説明】
【００２２】
【図１】  断面図
【図２】  平面図
【符号の説明】
【００２３】  １  攪拌棒
２  送気ファン
３  送気管
４  排出口
５  発熱器
６  羽根
７  保温材
８  蒸発器
９  噴出孔
１０  蒸気タービン
１１  空冷式復水器
１２  注入管
【図１】
2010090883.tif 000003
【図２】
2010090883.tif 000004
(57)【要約】【課題】従来の電話回線番号発信通知方式では、電話機のアドレス帳に登録していない番号について、誰からの電話か不明であり応答するか自分で判断する必要があった。また、電話回線端末の不正利用による不正請求などの社会的被害が急増しており解決手段が求められている。【解決手段】公的機関が発行するICチップ搭載型カード、クレジット会社等の第三者機関が発行する本人確認済のICチップ搭載型クレジットカードを、ICカードリーダを用いて、ICカードに記載された法人名、個人名を読み取り、電話回線並びに携帯電話に搭載されたSIM、またはセキュリティ機能搭載の保存媒体記憶し、既存の電話回線番号発信通知を利用し法人名、個人名を電話通信着信側へ通知するシステム。【選択図】なし【特許請求の範囲】
【請求項１】
公的機関が発行するICチップ搭載型カード、クレジット会社等の第三者機関が発行する本人確認済のICチップ搭載型クレジットカードを、ICカードリーダを用いて、ICカードに記載された法人名、個人名を読み取り、電話回線並びに携帯電話に搭載されたSIM、またはセキュリティ機能搭載の保存媒体記憶するシステム。
【請求項２】
上記を利用し、既存の電話回線番号発信通知を利用し法人名、個人名を電話通信着信側へ通知するシステム。
【発明の詳細な説明】
【技術分野】
【０００１】
本発明は、電話回線及び携帯電話へICカード情報を使用した、本人情報発信に関するものです。
【背景技術】
【０００２】
【特許文献１】2000-277293
【０００３】
【特許文献２】2000-195466
【発明の開示】
【発明が解決しようとする課題】
【０００４】
従来の電話回線番号発信通知においては、電話番号のみの通知であり、電話機のアドレス帳へ登録済の番号以外の発信者名を特定することができなかった。
【０００５】
従来の携帯電話の購入手続きにおいては、免許証等を審査対象としており、偽造証書によって他人になりすまし購入可能であった。
【課題を解決するための手段】
【０００６】
公的機関が発行するICチップ搭載型カード、クレジット会社等の第三者機関が発行する本人確認済のICチップ搭載型クレジットカードを、ICカードリーダを用いて、ICカードに記載された法人名、個人名を読み取り、電話回線並びに携帯電話に搭載されたSIM、またはセキュリティ機能搭載の保存媒体記憶する
【０００７】
既存の電話回線番号発信通知に上記説明手段にて登録された情報を付加することにより、法人名、個人名を電話通信着信側へ通知する。
【発明の効果】
【０００８】
本発明を電話回線並びに携帯電話へ搭載することにより、電話受信者側は法人名、個人名を着信時に把握する事ができる。
【０００９】
本発明により、電話回線並びに携帯電話の不正利用が困難または、事件の早期解決することができる。
(57)【要約】      （修正有）【課題】一般家庭や個人的に、有線放送の様なＢＧＭを、いつでも簡単に楽しめるようにする。【解決手段】音楽プレイヤー２、に人体感知センサーを取付け、人体１、を感知して自動的に音楽再生し、内蔵タイマーにより設定時間に自動的にＯＦＦになるようにする。【選択図】図１
2010141862.tif 000002
【特許請求の範囲】
【請求項１】
音楽プレイヤーに人体感知センサーを取付け、人の有無を感知して自動的に音楽再生するシステム。
【請求項２】
この人体感知センサー付き音楽プレイヤーに、タイマーを内臓して自動的に、音楽再生時間を設定できるようにする。
【発明の詳細な説明】
【技術分野】
【０００１】本発明は、音楽プレイヤーに人体を感知する検出回路とリモコン機能を備えたセンサーを取付け、人の有無をセンサーが感知して自動的に音楽再生できるようにし又、タイマーを内臓して再生時間を設定できるようにしたものである。
【背景技術】
【０００２】従来からレストランや喫茶店又は、ホテル等で流れている有線放送の様な、ＢＧＭがあったが、一般家庭や個人的には簡単に設置できなかった。
【発明の開示】
【発明が解決しようとする課題】
【０００３】例えば、一般家庭や住宅等、個人的にも有線放送の様なＢＧＭを簡単に、いつでも利用するには、環境的問題や大がかりな工事等、経済的にも実施が容易ではなかった。
【課題を解決するための手段】
【０００４】音楽プレイヤーに人体感知センサーを取付け、人が居るだけで自動的に再生スイッチがＯＮになるようにし又、タイマーを内蔵して音楽再生時間を設定できるようにしたものである。
【発明の効果】
【０００５】このようにすれば、人の有無により自動的にいつでも簡単に、有線放送の様なＢＧＭを楽しむことができる。
【実施例】
【０００６】本発明は、例えば一般家庭や個人的にも、有線放送の様なＢＧＭをいつでも簡単に楽しめるように発案されたもので、それを図面について説明すれば、例えば人体１、に反応した人体感知センサー付き音楽プレイヤー２，が自動的に再生スイッチをＯＮにして音楽再生し、内臓タイマーにより設定時間にＯＦＦになる。
【図面の簡単な説明】
【０００７】
【図１】  人体感知センサー付き音楽プレイヤーの実施図である。
【符号の説明】
【０００８】１  人体
２  人体感知センサー付き音楽プレイヤー
【図１】
2010141862.tif 000003